(57)【要約】【課題】  第１の目的は、部材管理が容易あって製函し易い紙箱を提供することであり、第２の目的は、成形トレーを用いることなく、収納物を整列した状態に保持することができると共に、収納物の取り出しも容易な紙箱を提供することである。【解決手段】  一枚のブランク板を組み立てることにより、矩形状底面壁の四周縁に折罫を介してその一方の端辺が連接する前面壁と側面壁と背面壁とを備えた上部に開口部を有する箱本体と、前記背面壁に折罫を介して連接し、前記箱本体の前記開口部を覆う蓋上面壁を少なくとも備えた蓋体とからなる紙箱において、前記箱本体の内部に前記前面壁の他方の端辺に折罫を介して一方の端辺が連接する可動壁を備え、該可動壁の他方の端部が前記背面壁の内面に接着されてなることを特徴とする紙箱。【選択図】        図１
2006240683.tif 000002
【特許請求の範囲】
【請求項１】
一枚のブランク板を組み立てることにより、矩形状底面壁の四周縁に折罫を介してその一方の端辺が連接する前面壁と側面壁と背面壁とを備えた上部に開口部を有する箱本体と、前記背面壁に折罫を介して連接し、前記箱本体の前記開口部を覆う蓋上面壁を少なくとも備えた蓋体とからなる紙箱において、前記箱本体の内部に前記前面壁の他方の端辺に折罫を介して一方の端辺が連接する可動壁を備え、該可動壁の他方の端部が前記背面壁の内面に接着されてなることを特徴とする紙箱。
【請求項２】
前記可動壁が前記前面壁の他方の端辺に折罫を介して前記前面壁に沿うようにその一方の端辺が連接する内部前面壁と、該内部前面壁の他方の端辺に折罫を介してその一方の端辺が連接する内部底面壁と、該内部底面壁の他方の端辺に折罫を順じ介して連接する内部背面前面壁、内部背面上面壁、内部背面後面壁とからなる略コの字状の内部背面壁とを備え、前記背面壁の内面と前記内部背面後面壁とが接着されてなることを特徴とする請求項１記載の紙箱。
【請求項３】
前記内部背面上面壁と前記背面壁と連接する前記折罫近傍の前記上面壁内面とが接着されていることを特徴とする請求項２記載の紙箱。
【請求項４】
前記前面壁が前記底面壁側から前記開口部側へ前記背面壁に近づく方向に傾斜した傾斜壁からなると共に、前記内部前面壁が前記前面壁に沿うように設けられていることを特徴とする請求項１〜３のいずれかに記載の紙箱。
【発明の詳細な説明】
【技術分野】
【０００１】
本発明は、複数個の収納物、たとえば、板状菓子等を縦列状態で収容する紙箱に関し、さらに詳しくは、収納物が取り出し易い紙箱に関するものである。
【背景技術】
【０００２】
従来、小片状の板状菓子、たとえば、ビスケットやチョコレート等は、仕切りを設けた樹脂製の成形トレーの仕切り内に複数個が平積み状態で収容され、これが紙箱内に納められた状態で流通、販売されている。成形トレーに収容される理由としては、流通段階等で加わる衝撃や振動、あるいは、収容部内での移動等による割れや欠けを防止するためである。
【０００３】
しかしながら、成形トレーの仕切り内に平積みされた板状菓子は紙箱を開封して取り出す際に、仕切りとの間に指先を差し入れる隙間が殆どないために、極めて取り出し難いという問題があると共に、廃棄時には成形トレーと紙箱とを分別しなければならないという煩雑さがある。
【０００４】
上記したような問題を解決するものとして、収納物を取り出し易く、かつ、廃棄時に分別する必要のない包装箱が提案されている（たとえば、特許文献１参照）。特許文献１に開示された発明は、成形トレーを用いることなく、収納物を整列した状態に保持することができると共に収納物を傾斜した状態で収容する構造となっているために、収納物の取り出しも容易であり、商品イメージを向上させることができるというものであるが、包装箱が２つの部材からなるために、製函工程が１工程増えるという問題や部材管理が煩雑になるという問題がある。
【特許文献１】特開２００２−２７４５２９号公報
【発明の開示】
【発明が解決しようとする課題】
【０００５】
そこで本発明の第１の目的は、部材管理が容易であって製函し易い紙箱を提供することであり、第２の目的は、成形トレーを用いることなく、収納物を整列した状態に保持することができると共に、収納物の取り出しも容易な紙箱を提供することである。
【課題を解決するための手段】
【０００６】
本発明者は、上記課題を達成するために、請求項１記載の本発明は、一枚のブランク板を組み立てることにより、矩形状底面壁の四周縁に折罫を介してその一方の端辺が連接する前面壁と側面壁と背面壁とを備えた上部に開口部を有する箱本体と、前記背面壁に折罫を介して連接し、前記箱本体の前記開口部を覆う蓋上面壁を少なくとも備えた蓋体とからなる紙箱において、前記箱本体の内部に前記前面壁の他方の端辺に折罫を介して一方の端辺が連接する可動壁を備え、該可動壁の他方の端部が前記背面壁の内面に接着されてなることを特徴とするものである。
【０００７】
また、請求項２記載の本発明は、請求項１記載の紙箱において、前記可動壁が前記前面壁の他方の端辺に折罫を介して前記前面壁に沿うようにその一方の端辺が連接する内部前面壁と、該内部前面壁の他方の端辺に折罫を介してその一方の端辺が連接する内部底面壁と、該内部底面壁の他方の端辺に折罫を順じ介して連接する内部背面前面壁、内部背面上面壁、内部背面後面壁とからなる略コの字状の内部背面壁とを備え、前記背面壁の内面と前記内部背面後面壁とが接着されてなることを特徴とするものである。
【０００８】
また、請求項３記載の本発明は、請求項２記載の紙箱において、前記内部背面上面壁と前記背面壁と連接する前記折罫近傍の前記上面壁内面とが接着されていることを特徴とするものである。
【０００９】
また、請求項４記載の本発明は、請求項１〜３のいずれかに記載の紙箱において、前記前面壁が前記底面壁側から前記開口部側へ前記背面壁に近づく方向に傾斜した傾斜壁からなると共に、前記内部前面壁が前記前面壁に沿うように設けられていることを特徴とするものである。
【発明の効果】
【００１０】
本発明の紙箱は、一枚のブランク板から形成されるものであり、部材管理が容易であって製函し易いという優れた効果を奏し、また、本発明の紙箱は、箱内部に可動壁を備えていることにより、収納物を取り出すために蓋体を開封すると、蓋体の開封にしたがって可動壁が蓋体の開封方向に移動し、これにより取出し口を完全に開口した状態において収納物が将棋倒し状となるために、指先で収納物を一つずつ容易に摘んで取り出すことができるという効果を奏するものである。
【発明を実施するための最良の形態】
【００１１】
上記の本発明について、図面等を用いて以下に詳しく説明する。
図１は本発明にかかる紙箱の第１実施形態の蓋体を開封した状態を説明する斜視図、図２は図１の紙箱を展開した状態を示すブランク板、図３は図１の紙箱の機能を説明する（ａ）は蓋体を閉じた状態を示す一部切欠斜視図、（ｂ）は蓋体を開封した状態を示す斜視図、図４は本発明にかかる紙箱の第２実施形態の蓋体を開封した状態を説明する斜視図、図５は図４の紙箱を展開した状態を示すブランク板、図６は図４の紙箱の機能を説明する（ａ）は蓋体を閉じた状態を示す一部切欠斜視図、（ｂ）は蓋体を開封した状態を示す斜視図であり、図中のＡ，Ｂは紙箱、１，１’は箱本体、２，２’は蓋体、３，３’は可動壁、１０，１０’は矩形状底面壁、１１，１１’は前面壁、１２，１２’は側面壁、１３，１３’は背面壁、２１，２１’は蓋上面壁、２２，２２’は蓋前面壁、３０，３０’は内部前面壁、３１，３１’は内部底面壁、３２，３２’は内部背面前面壁、３３，３３’は内部背面上面壁、３４，３４’は内部背面後面壁、３５，３５’は内部背面壁、３６，３６’は側面壁構成外面板、３７，３７’は側面壁構成上面板、３８，３８’は側面壁構成内面板、３９，３９’は側面壁構成底面板、４０，４０’は折込みフラップ、４１，４１’は遮蔽フラップ、５０，５０’は位置決め片、５０”は切欠、５１，５２，５２’，５３は切目、５４，５４’は差込片、５５は突片、３０１，３０１’，３０２，３０２’，３０３，３０３’，３０４，３０４’，３０５，３０５’，３０６，３０６’，３０７，３０７’，３０８，３０８’，３０９，３０９’，３１０，３１０’，３１１，３１２，３１２’，３１３，３１３’，３１４，３１４’，３１５，３１５’は折罫、３１６は折罫群、Ｋは開口部、αは板状収納物をそれぞれ示す。
【００１２】
図１は本発明にかかる紙箱の第１実施形態の蓋体を開封した状態を説明する斜視図、図２は図１の紙箱を展開した状態を示すブランク板であって、紙箱Ａは矩形状底面壁１０の四周縁に折罫３０１、３０２、３０３を介してその一方の端辺が連接する前面壁１１と側面壁１２と背面壁１３とを備えた上部に開口部Ｋを有する箱本体１と、前記背面壁１３に折罫３０４を介して連接し、前記箱本体１の前記開口部Ｋを覆う蓋上面壁２１を少なくとも備えた蓋体２とからなり、前記箱本体１の内部に前記前面壁１１の前記開口部側端辺に折罫３１０を介して一方の端辺が連接する可動壁３を備え、該可動壁３の他方の端部が前記背面壁１３の内面に接着されている。前記可動壁３は前記前面壁１１の前記開口部側端辺に前記折罫３１０を介して前記前面壁１１に沿うようにその一方の端辺が連接する内部前面壁３０と、該内部前面壁３０の他方の端辺に折罫３１１を介してその一方の端辺が連接する内部底面壁３１と、該内部底面壁３１の他方の端辺に折罫３１２、３１３、３１４を順じ介して連接する内部背面前面壁３２、内部背面上面壁３３、内部背面後面壁３４とからなる略コの字状の内部背面壁３５とを備え、前記背面壁１３の内面と前記内部背面後面壁３４とが接着されている。
【００１３】
また、前記側面壁１２は前記矩形状底面壁１０の対向する一つの周縁に折罫３０２を介して側面壁構成外面板３６の一方の端辺が連接すると共に他方の端辺に折罫３０５、３０６、３０７を順じ介して側面壁構成上面板３７、側面壁構成内面板３８、側面壁構成底面板３９が設けられ、断面矩形状となるように前記折罫３０５、３０６を内方に山折りし、前記折罫３０７を谷折りして前記側面壁構成底面板３９を前記矩形状底面壁１０に接着すると共に前記側面壁構成外面板３６に折罫３１５を介して連接する折込みフラップ４０を前記折罫３１５で折って前記前面壁１１の内面に接着することにより前記側面壁１２とすることができる。また、前記側面壁１２とした際に前記側面壁構成底面板３９の接着位置を決める位置決め片５０を形成するように前記側面壁構成内面板３８に前記折罫３０７を繋ぐ略コの字状の切目５１が設けられ、この切目５１により形成される位置決め片５０を前記側面壁構成外面板３６の内面に当接させることにより正確に前記側面壁１２とすることができる。
【００１４】
また、前記蓋体２は、前記蓋上面壁２１の前記折罫３０４と対向する位置にある折罫３０８を介して連接する蓋前面壁２２と、前記蓋上面壁２１の前記折罫３０４に直交する方向にある両端辺に折罫３０９を介して連接する折込フラップ２４を有する蓋側面壁２３とからなり、前記蓋前面壁２２と前記蓋側面壁２３とを前記折罫３０８、３０９で折って前記折込フラップ２４を前記蓋前面壁２２の内面に貼着することにより三周縁に壁を有する前記蓋体２とすることができ、前記蓋体２の前記蓋前面壁２２で前記箱本体１の前記前面壁１１の外方側を覆うと共に前記蓋側面壁２３で前記箱本体１の前記側面壁１２を覆うようになっている。
【００１５】
また、前記前面壁１１に一条の切目５２と前記蓋前面壁２２に二条の切目５３により形成された差込片５４が設けられ、図３に示すように前記蓋体２を閉じたときに、前記差込片５４を前記切目５２に差し込んで係合させることにより開口部Ｋを閉止した状態に維持することができるようになっていて、一部を食べて残した小片状の板状収納物αをスマートに保管できるようになっている。なお、符号４１は前記側面壁１２と前記背面壁１３との間の隙間を遮蔽する遮蔽フラップである。
【００１６】
次に、紙箱Ａの機能を説明する。図３は図１の紙箱の機能を説明する（ａ）は蓋体を閉じた状態を示す一部切欠斜視図、（ｂ）は蓋体を開封した状態を示す斜視図であって、開封前は紙箱Ａ内に小片状の板状収納物αが２列の縦列状態で収納されているが、蓋体２を開封することにより、前記可動壁３が前記蓋体２の開封方向に移動するために、縦列状態で収納されていた収納物αが将棋倒し状に開封方向側に倒れるために、収納物αを一つずつ指先で容易に摘んで取り出すことができる。
【００１７】
図４は本発明にかかる紙箱の第２実施形態の蓋体を開封した状態を説明する斜視図、図５は図４の紙箱を展開した状態を示すブランク板であって、紙箱Ｂは矩形状底面壁１０’の四周縁に折罫３０１’、３０２’、３０３’を介してその一方の端辺が連接する前面壁１１’と側面壁１２’と背面壁１３’とを備えた上部に開口部Ｋを有する箱本体１’と、前記背面壁１３’に折罫３０４’を介して連接し、前記箱本体１’の前記開口部Ｋを覆う蓋上面壁２１’を少なくとも備えた蓋体２’とからなり、前記箱本体１’の内部に前記前面壁１１’の前記開口部側端辺に折罫３１０’を介して一方の端辺が連接する可動壁３’を備え、該可動壁３’の他方の端部が前記背面壁１３’の内面に接着されている。前記可動壁３’は前記前面壁１１’の前記開口部側端辺に前記折罫３１０’を介して前記前面壁１１’に沿うようにその一方の端辺が連接する内部前面壁３０’と、該内部前面壁３０’の他方の端辺に複数本の折罫群３１６（図５上、２本の折罫）を介してその一方の端辺が連接する内部底面壁３１’と、該内部底面壁３１’の他方の端辺に折罫３１２’、３１３’、３１４’を順じ介して連接する内部背面前面壁３２’、内部背面上面壁３３’、内部背面後面壁３４’とからなる略コの字状の内部背面壁３５’とを備え、前記背面壁１３’の内面と前記内部背面後面壁３４’とが接着されている。
【００１８】
前記前面壁１１’は上記したように前記矩形状底面壁１０’に前記折罫３０１’を介して設けられたものであるが、前記折罫３０１’から上部方向に前記背面壁１３’側に傾斜した傾斜面となっていて、この傾斜面により形成される前記前面壁１１’の裏面側に前記内部前面壁３０’を収納することができるように構成されている。
【００１９】
また、前記側面壁１２’は前記矩形状底面壁１０’の対向する一つの周縁に折罫３０２’を介して側面壁構成外面板３６’の一方の端辺が連接すると共に他方の端辺に折罫３０５’、３０６’、３０７’を順じ介して側面壁構成上面板３７’、側面壁構成内面板３８’、側面壁構成底面板３９’が設けられ、断面矩形状となるように前記折罫３０５’、３０６’を内方に山折りし、前記折罫３０７’を谷折りして前記側面壁構成底面板３９’を前記矩形状底面壁１０’に接着すると共に前記側面壁構成外面板３６’に折罫３１５’を介して連接する折込みフラップ４０を前記折罫３１５’で折って前記前面壁１１’の内面に接着することにより前記側面壁１２’とすることができるが、上記した前記前面板１１’の傾斜面は前記折罫３１５’と前記側面壁構成内面板３８’の符号Ｓで示す端辺により確保される。また、前記側面壁１２’とした際に前記側面壁構成底面板３９’の接着位置を決める位置決め片５０’を形成するように前記側面壁構成内面板３８’に前記折罫３０７’を繋ぐ略コの字状の切目５１’が設けられ、この切目５１’により形成される位置決め片５０’を前記側面壁構成外面板３６’の内面に当接させることにより正確に前記側面壁１２’とすることができるし、また、前記位置決め片５０’により位置決めして後に前記側面壁１２’の前記側面壁構成内面板３８’に形成される略コの字状の切欠５０”に、前記可動壁３’の前記内部底面壁３１’の対向する位置に設けた突片５５を係合させて前記蓋体２’を開封した際に前記背面板１３’を前記矩形状底面壁１０’に対して一定の角度を保持した状態で固定するようにしてもよい。
【００２０】
また、前記蓋体２’は、前記蓋上面壁２１’の前記折罫３０４’と対向する位置にある折罫３０８’を介して連接する蓋前面壁２２’と、前記蓋上面壁２１’の前記折罫３０４’に直交する方向にある両端辺に折罫３０９’を介して連接する折込フラップ２４’を有する蓋側面壁２３’とからなり、前記蓋前面壁２２’と前記蓋側面壁２３’とを前記折罫３０８’、３０９’で折って前記折込フラップ２４’を前記蓋前面壁２２’の内面に貼着することにより三周縁に壁を有する前記蓋体２’とすることができ、前記蓋体２’の前記蓋前面壁２２’で前記箱本体１’の前記前面壁１１’の外方側を覆うと共に前記蓋側面壁２３’で前記箱本体１’の前記側面壁１２’を覆うようになっている。
【００２１】
また、前記前面壁１１’に略円弧状の切目５２’と前記蓋前面壁２２’の前記折罫３０８’と対応する位置にある端部に楔状に両端が切り込まれた円弧状の差込片５４’が設けられ、図６に示すように前記蓋体２’を閉じたときに、前記差込片５４’を前記切目５２’に差し込んで係合させることにより開口部Ｋを閉止した状態に維持することができるようになっていて、第１実施形態同様に一部を食べて残した小片状の板状収納物αをスマートに保管できるようになっている。
【００２２】
次に、紙箱Ｂの機能を説明する。図６は図４の紙箱の機能を説明する（ａ）は蓋体を閉じた状態を示す一部切欠斜視図、（ｂ）は蓋体を開封した状態を示す斜視図であって、開封前は紙箱Ｂ内に小片状の板状収納物αが略２列の縦列状態で収納されているが、蓋体２’を開封することにより、前記可動壁３’が前記蓋体２’の開封方向に移動するために、縦列状態で収納されていた収納物αが将棋倒し状に開封方向側に倒れるために、収納物αを一つずつ指先で容易に摘んで取り出すことができる。なお、前記前面壁１１’を傾斜面としたことにより、前記前面壁１１’の裏面側に前記内部前面壁３０’を収納することができるために、前記可動壁３’の移動幅を大きくすることができると共に前記前面壁１１’の裏面側の空間に将棋倒し状の収納物αが入り込むことにより、将棋倒し状の収納物αを指先でより摘み易い状態とすることができる。
【００２３】
なお、紙箱Ｂにおいて設けた複数本の折罫群３１６（図５上、２本の折罫）は、前記可動壁３’の移動を円滑にするために複数本設けるものであり、２本に限定するものではない。また、実施形態１、２の紙箱Ａ、Ｂにおいて、前記背面壁１３、１３’のそれぞれの内面と前記内部背面後面壁３４、３４’のそれぞれを接着したものを示したが、紙箱Ａ、Ｂの前記蓋体２、２’の前記蓋上面壁２１、２１’のそれぞれの内面と前記内部背面上面壁３３、３３’のそれぞれを接着して、前記内部底面壁３１、３１’が前記矩形状底面壁１０、１０’のそれぞれから持ち上がるように構成してもよいものである。
【図面の簡単な説明】
【００２４】
【図１】本発明にかかる紙箱の第１実施形態の蓋体を開封した状態を説明する斜視図である。
【図２】図１の紙箱を展開した状態を示すブランク板である。
【図３】図１の紙箱の機能を説明する（ａ）は蓋体を閉じた状態を示す一部切欠斜視図、（ｂ）は蓋体を開封した状態を示す斜視図である。
【図４】本発明にかかる紙箱の第２実施形態の蓋体を開封した状態を説明する斜視図である。
【図５】図４の紙箱を展開した状態を示すブランク板である。
【図６】図４の紙箱の機能を説明する（ａ）は蓋体を閉じた状態を示す一部切欠斜視図、（ｂ）は蓋体を開封した状態を示す斜視図である。
【符号の説明】
【００２５】
Ａ，Ｂ                                                  紙箱
１，１’                                                箱本体
２，２’                                                蓋体
３，３’                                                可動壁
１０，１０’                                            矩形状底面壁
１１，１１’                                            前面壁
１２，１２’                                            側面壁
１３，１３’                                            背面壁
２１，２１’                                            蓋上面壁
２２，２２’                                            蓋前面壁
３０，３０’                                            内部前面壁
３１，３１’                                            内部底面壁
３２，３２’                                            内部背面前面壁
３３，３３’                                            内部背面上面壁
３４，３４’                                            内部背面後面壁
３５，３５’                                            内部背面壁
３６，３６’                                            側面壁構成外面板
３７，３７’                                            側面壁構成上面板
３８，３８’                                            側面壁構成内面板
３９，３９’                                            側面壁構成底面板
４０，４０’                                            折込みフラップ
４１，４１’                                            遮蔽フラップ
５０，５０’                                            位置決め片
５０”                                                  切欠
５１，５２，５２’，５３                                切目
５４，５４’                                            差込片
５５                                                    突片
３０１，３０１’，３０２，３０２’，３０３，３０３’    折罫
３０４，３０４’，３０５，３０５’，３０６，３０６’    折罫
３０７，３０７’，３０８，３０８’，３０９，３０９’    折罫
３１０，３１０’，３１１，３１２，３１２’              折罫
３１３，３１３’，３１４，３１４’，３１５，３１５’    折罫
３１６                                                  折罫群
Ｋ                                                      開口部
α                                                      板状収納物
【図１】
2006240683.tif 000003
【図２】
2006240683.tif 000004
【図３】
2006240683.tif 000005
【図４】
2006240683.tif 000006
【図５】
2006240683.tif 000007
【図６】
2006240683.tif 000008